(57)【特許請求の範囲】
【請求項１】
それぞれ物品が収納される複数の収納部と、
それぞれの前記収納部に収納される物品の重量を求める物品重量測定部と、
前記物品の重量とその物品が収納される前記収納部とを対応付けて管理する収納位置・重量管理部と、
それぞれの前記収納部に収納されている物品の重量に基づいて組合せ演算を行うことにより合計重量が所定重量範囲内となる物品の組合せを全て求め、それぞれの前記組合せを適量組合せに決定する第１の処理と、全ての前記適量組合せの中の１つを排出組合せに決定する第２の処理と、前記排出組合せに含まれる物品が含まれない前記適量組合せが存在する場合にさらに前記適量組合せの中の１つを排出組合せに決定することを繰り返す第３の処理とを行う組合せ演算部と、
前記組合せ演算部で決定されたそれぞれの前記排出組合せの物品が収納されている前記収納部を報知する報知手段とを備え、
前記複数の収納部のそれぞれに予め番号が順番に付されており、前記報知手段は、それぞれの前記排出組合せに含まれる物品の前記収納部に付された最も小さい前記番号が小さいものから順番に、それぞれの前記排出組合せの物品の前記収納部を順次報知するように構成された組合せ計量装置。
【請求項２】
前記組合せ演算部は、前記決定する排出組合せの数が最大となるように前記第２および第３の処理を行うように構成された請求項１に記載の組合せ計量装置。
【請求項３】
それぞれ物品が収納される複数の収納部と、
それぞれの前記収納部に収納される物品の重量を求める物品重量測定部と、
前記物品の重量とその物品が収納される前記収納部とを対応付けて管理する収納位置・重量管理部と、
それぞれの前記収納部に収納されている物品の重量に基づいて組合せ演算を行うことにより合計重量が所定重量範囲内となる物品の組合せを全て求め、それぞれの前記組合せを適量組合せに決定する第１の処理と、全ての前記適量組合せの中の１つを排出組合せに決定する第２の処理と、前記排出組合せに含まれる物品が含まれない前記適量組合せが存在する場合にさらに前記適量組合せの中の１つを排出組合せに決定することを繰り返す第３の処理とを行う組合せ演算部と、
前記組合せ演算部で決定されたそれぞれの前記排出組合せの物品が収納されている前記収納部を報知する報知手段とを備え、
前記組合せ演算部は、前記決定する排出組合せの数が最大となるように前記第２および第３の処理を行うように構成された組合せ計量装置。
【発明の詳細な説明】
【技術分野】
【０００１】
本発明は、野菜、果実や魚等を袋詰め等するために所定重量となるように計量する組合せ計量装置に関する。
【背景技術】
【０００２】
従来、野菜、果実や魚等を例えば袋詰めして販売する際に、所定重量に計量する組合せ計量装置がある（例えば、特許文献１，２参照）。
【０００３】
このような組合せ計量装置では、複数の収納部と、計量する物品の合計重量を一括して測定する重量計とを備えている。そして、作業者が重量計上から物品を取り出して収納部に収納すると、物品を収納する前後における合計重量の変化量に基づいて、収納部に収納された物品の重量が求められる。全ての収納部に物品が収納されると組合せ演算がなされ、所定重量範囲となる組合せが１つ求められ、その組合せの収納部が報知される。作業者は、報知された組合せの収納部から物品を取り出して袋詰め等を行い、取り出した収納部へ物品を収納するという作業を繰り返す。
【特許文献１】特開昭６３−９５２３４号公報
【特許文献２】特許第３５６１１６０号公報
【発明の開示】
【発明が解決しようとする課題】
【０００４】
上記従来の組合せ計量装置では、１回の組合せ演算により１つの組合せが求められ、作業者はその１つの組合せの収納部から物品を取り出して包装等を行う度に、取り出した物品の収納部へ次の物品を収納するようになっているため、作業能率が悪かった。
【０００５】
本発明は上記のような課題を解決するためになされたもので、作業能率を向上することができる組合せ計量装置を提供することを目的としている。
【課題を解決するための手段】
【０００６】
上記課題を解決するために、本発明の組合せ計量装置は、それぞれ物品が収納される複数の収納部と、それぞれの前記収納部に収納される物品の重量を求める物品重量測定部と、前記物品の重量とその物品が収納される前記収納部とを対応付けて管理する収納位置・重量管理部と、それぞれの前記収納部に収納されている物品の重量に基づいて組合せ演算を行うことにより合計重量が所定重量範囲内となる物品の組合せを全て求め、それぞれの前記組合せを適量組合せに決定する第１の処理と、全ての前記適量組合せの中の１つを排出組合せに決定する第２の処理と、前記排出組合せに含まれる物品が含まれない前記適量組合せが存在する場合にさらに前記適量組合せの中の１つを排出組合せに決定することを繰り返す第３の処理とを行う組合せ演算部と、前記組合せ演算部で決定されたそれぞれの前記排出組合せの物品が収納されている前記収納部を報知する報知手段とを備え、前記複数の収納部のそれぞれに予め番号が順番に付されており、前記報知手段は、それぞれの前記排出組合せに含まれる物品の前記収納部に付された最も小さい前記番号が小さいものから順番に、それぞれの前記排出組合せの物品の前記収納部を順次報知するように構成されている。
【０００７】
この構成によれば、１回の組合せ演算の結果から複数の排出組合せを求めることができ、作業者は、物品が収納されていない収納部に物品を収納した後、求められた全ての排出組合せの物品を収納部から取り出して例えば包装等の処理を行うという作業を繰り返すことになる。すなわち、複数の各排出組合せの物品を収納部から取り出して包装等の処理を行うことを連続して繰り返した後、物品が収納されていない複数の収納部へ連続して物品を収納することが可能となる。したがって、一つの適量な組合せの物品を取り出して包装等の処理を行う度に、取り出した物品の収納部へ次の物品を収納するという場合と比較して、非常に作業能率が向上する。
【０００８】
また、前記報知手段は、それぞれの前記排出組合せの物品の前記収納部を、順次、報知するように構成されているので、作業者は、報知される順番に排出組合せの物品を収納部から取り出し、例えば包装等の処理を行えばよい。 
【０００９】
また、前記複数の収納部のそれぞれに予め番号が順番に付されており、前記報知手段は、それぞれの前記排出組合せに含まれる物品の前記収納部に付された最も小さい前記番号が小さいものから順番に、前記排出組合せの物品の前記収納部を報知するように構成されているので、作業者は、順次報知される各排出組合せの物品の収納部の１つを予想でき、収納部から物品を取り出す作業をしやすくなる。
【００１０】
また、前記組合せ演算部は、前記決定する排出組合せの数が最大となるように前記第２および第３の処理を行うように構成されていてもよい。これにより、１回の組合せ演算の結果から、より多くの排出組合せを求めることができ、より作業能率を向上させることが可能となる。
また、本発明の組合せ計量装置は、それぞれ物品が収納される複数の収納部と、それぞれの前記収納部に収納される物品の重量を求める物品重量測定部と、前記物品の重量とその物品が収納される前記収納部とを対応付けて管理する収納位置・重量管理部と、それぞれの前記収納部に収納されている物品の重量に基づいて組合せ演算を行うことにより合計重量が所定重量範囲内となる物品の組合せを全て求め、それぞれの前記組合せを適量組合せに決定する第１の処理と、全ての前記適量組合せの中の１つを排出組合せに決定する第２の処理と、前記排出組合せに含まれる物品が含まれない前記適量組合せが存在する場合にさらに前記適量組合せの中の１つを排出組合せに決定することを繰り返す第３の処理とを行う組合せ演算部と、前記組合せ演算部で決定されたそれぞれの前記排出組合せの物品が収納されている前記収納部を報知する報知手段とを備え、前記組合せ演算部は、前記決定する排出組合せの数が最大となるように前記第２および第３の処理を行うように構成されている。
【発明の効果】
【００１１】
本発明は、以上に説明した構成を有し、組合せ計量装置において、作業能率を向上することができるという効果を奏する。
【発明を実施するための最良の形態】
【００１２】
以下、本発明の好ましい実施の形態を、図面を参照しながら説明する。
【００１３】
図１は、本発明の実施の形態の組合せ計量装置の構成を示すブロック図である。この組合せ計量装置は、複数の収納部１０を有するテーブル１と、重量計２と、表示器３と、制御装置４とを備えている。
【００１４】
テーブル１には、各収納部１０に対して収納位置の番号が付されている。図２は、テーブル１の収納位置の番号を示す図である。図２に示すように、テーブル１は、例えばマトリックス状に２０個の収納部１０に分割され、各収納部１０に、「０１」、「０２」、「０３」、・・・、「２０」の収納位置の番号が付与されている。また、各収納部１０には、光電式あるいは感圧式の検出器等で構成された物品検出部１１を備えている。各物品検出部１１は、その収納部１０に物品Ｓが収納されていない状態では未収納状態を示す情報を制御部９へ出力し、収納部１０に物品Ｓが収納されている状態では収納状態を示す情報を制御部９へ出力する。
【００１５】
重量計２には、コンテナ，輸送箱，梱包箱等に入れられた複数の物品Ｓが載置される。重量計２は、複数の物品の全体重量を計量し、計量データ２ａを出力する。制御装置４は、物品重量測定部５と、収納位置・重量管理部６と、組合せ演算部７と、組合せ条件設定部８と、制御部９とを備えている。
【００１６】
物品重量測定部５は、重量計２から供給される計量データ２ａの変化量に基づいて重量計２上に載置されている物品Ｓの取出しを検出するとともに、取り出された物品Ｓの重量を求める。物品重量測定部５は、先の計量データ２ａが例えば５０００グラムであったものが、例えば４９００グラムに変化した場合は、１００グラムの物品Ｓが取り出されたものと判断する。なお、物品重量測定部５は、計量データ２ａの減少値が予め設定した物品取り出し判定値を越えた場合に、物品が取り出されたものと判断する。また、物品重量測定部５は、計量データ２ａが増加した場合には新たな物品が重量計２の上に補充されたものと判断する。この計量データ２ａが増加した場合、増加した重量から物品取り出し判定値を越える重量が減少した際に、物品Ｓが取り出されたものと判断するようにしている。物品重量測定部５は、計量データ２ａの変化に基づいて物品Ｓが取り出されたことを検出すると物品取り出し情報５ａを制御部９へ出力するとともに、取り出された物品Ｓの重量データ５ｂを収納位置・重量管理部６へ出力する。
【００１７】
物品Ｓを取り出した作業者は、物品Ｓが収納されていない収納部１０のうち、収納位置の番号が最も小さい収納部１０に取り出した物品Ｓを収納する（載せる）。
【００１８】
制御部９は、物品重量測定部５から物品Ｓの取り出し情報５ａが供給された時点で、取り出した物品Ｓの収納部１０への収納が完了したものと判断する。収納位置・重量管理部６は、物品Ｓの収納位置とその重量とを対応付けて一時記憶する。ここで、本実施の形態では、収納部１０に物品Ｓを収納する場合、物品が未収納の収納部１０のうち、収納位置の番号が最も小さい収納部１０から順に物品Ｓを収納するようにしており、収納位置・重量管理部６は、重量計２上に載置されている物品Ｓの取出しが行われる前に、制御部９から物品が未収納である収納部１０の収納位置の番号が与えられており、物品Ｓの収納位置とその重量とを対応付けることが可能である。
【００１９】
このようにして、未収納の収納部１０に順次物品Ｓが収納されて全ての収納部１０に物品Ｓが収納された状態になると、制御部９は組合せ演算開始指令を組合せ演算部７へ出力して、組合せ演算を開始させる。ここで、制御部９は、全ての収納部１０に物品Ｓが収納された状態になったことを、最初に未収納である収納部１０の個数と物品重量測定部５から物品Ｓの取り出し情報５ａが与えられた回数との一致により認識するようにしてもよいし、全ての物品検出部１１から収納状態を示す情報が与えられたときに認識するようにしてもよい。
【００２０】
組合せ条件設定部８は、物品Ｓの組合せ個数、組合せ重量範囲（所定重量範囲）を設定するためのキーボード等を備えている。作業者等は、組合せ条件設定部８を用いて、組合せ個数、組合せ重量範囲を予め設定しておく。例えば、魚の切り身等を２個の組合せで２００グラムとし、袋詰めして販売する場合、組合せ個数を２に設定し、組合せ重量範囲の下限値を例えば２０４グラムに設定し、組合せ重量範囲の上限値を例えば１９６グラムに設定する。設定された組合せ個数，組合せ重量範囲の下限値，組合せ重量範囲の上限値は、組合せ条件設定部８に一時記憶されるとともに、組合せ演算部７へ与えられる。
【００２１】
尚、組合せ個数の設定は省略することができる。組合せ個数が設定されない場合、組合せ演算部７は組合せ重量範囲となる組合せを求める。また、組合せ重量の目標値を設定することで、予め登録した計算式等に基づいて組合せ重量範囲の下限値，組合せ重量範囲の上限値を自動的に設定するようにしてもよい。
【００２２】
組合せ演算部７は、制御部９から組合せ演算開始指令が入力されると、収納位置・重量管理部６に一時記憶されている収納位置・重量データ群に基づいて組合せ演算を行い、組合せ条件設定部８で設定された組合せ個数，組合せ重量範囲の条件を満足する組合せを全て求め、求めたそれぞれの組合せを適量組合せとし、さらに、適量組合せの中から排出組合せを決定する。例えば、３つの適量組合せの各収納位置が、（０１，０２）すなわち「０１」と「０２」、（０１，１２）すなわち「０１」と「１２」、（０２，０８）すなわち「０２」と「０８」である場合、収納位置が（０１，０２）の適量組合せを排出組合せに選択すると、３つの適量組合せの中から１つの排出組合せしか得られないが、収納位置が（０１，１２）と（０２，０８）の適量組合せを排出組合せに選択すると、３つの適量組合せの中から２つの排出組合せが得られることになる。ここでは、排出組合せの数が多くなるように適量組合せの中から排出組合せを選択するものとするが、組合せ重量の目標値あるいは組合せ重量範囲の下限値に近いものから順に排出組合せに選択していくようにしてもよい。組合せ個数の設定をする場合には、排出組合せの数が多くなるように適量組合せの中から排出組合せを選択するようにした方が後述の作業能率の点からより好ましい。
【００２３】
組合せ演算部７は、決定した全ての排出組合せの各収納位置情報を制御部９へ出力する。
【００２４】
制御部９は、各排出組合せの収納位置情報に基づいて、各排出組合せの収納位置を順次、表示器３に表示させる。この場合、例えば、各排出組合せにおける複数の収納位置のうち最も小さい収納位置の番号が小さいものから順番に、排出組合せの収納位置を１組ずつ表示させるようにすれば、作業者は、表示器３に順次表示される各排出組合せの物品の収納部１０の１つを予想でき、収納部１０から物品を取り出す作業をしやすくなり、作業性が向上する。
【００２５】
表示器３による表示例を図３（ａ）、（ｂ）、（ｃ）に示す。例えば、表示器３に、まず、図３（ａ）に示すように、収納位置が（０１，１２）の物品が排出組合せに選択されていることを表示させる。作業者は、収納位置が（０１，１２）の収納部１０の物品Ｓを取り出し、それらの物品を商品としてパック詰め等の包装をする。収納位置が（０１，１２）の収納部１０の物品Ｓが取り出されると、該当する物品検出部１１から未収納状態を示す情報が制御部９へ出力される。制御部９は、前述の物品検出部１１から出力される未収納状態を示す情報に基づいて、収納位置が（０１，１２）の収納部１０から物品Ｓが取り出されたことを認識する。
【００２６】
次に、制御部９は表示器３に未表示の排出組合せが存在するか否かを判断し、存在すれば、未表示の排出組合せのうちの１つの排出組合せの収納位置を同様にして表示器３に表示させる。例えば、表示器３に、図３（ｂ）に示すように、収納位置が（０２，０８）の物品が排出組合せに選択されていることを表示させる。上述と同様に、作業者によって、排出組合せに選択されている収納位置が（０２，０８）の収納部１０の物品Ｓが取り出されると、該当する物品検出部１１から未収納状態を示す情報が制御部９へ出力され、制御部９では、収納位置が（０２，０８）の収納部１０から物品Ｓが取り出されたことを認識する。以下、同様にして、制御部９は、全ての排出組合せの収納位置を表示器３に順次表示させ、最後に表示された排出組合せに該当する収納部１０から物品Ｓが取り出されたことを認識すると、表示器３に、例えば図３（ｃ）に示すように、全ての排出組合せの物品Ｓが取り出されたことを示す表示を行わせる。また、制御部９は、前述の全ての排出組合せの収納位置、すなわち物品が未収納状態になった収納部１０の収納位置の情報を収納位置・重量管理部６へ出力する。
【００２７】
作業者は、図３（ｃ）に示された表示を見て、全ての排出組合せに該当する物品Ｓを取り出したことを確認すると、再び、重量計２上に載置されている物品Ｓを取出して、物品Ｓが収納されていない収納部１０に対し、収納位置の番号が小さい順番に物品Ｓを収納する。このとき、前述のように収納位置・重量管理部６は、物品Ｓの収納位置とその重量とを対応付けて一時記憶する。そして、全ての収納部１０に物品Ｓが収納された状態になると、前述のように制御部９は組合せ演算開始指令を組合せ演算部７へ出力して、組合せ演算を開始させる。これ以降の動作も、前述の通りである。
【００２８】
このように本実施の形態では、作業者は、テーブル１上で物品Ｓが収納されていない収納部１０に物品Ｓを収納した後、組合せ演算部７により求められた全ての排出組合せの物品Ｓについて包装等の処理を行うという作業を繰り返すことになる。すなわち、複数の各排出組合せの物品Ｓを収納部１０から取り出して包装等の処理を行うことを連続して繰り返した後、物品Ｓが収納されていない複数の収納部１０へ連続して物品Ｓを収納することが可能となり、一つの適量な組合せの物品を取り出して包装等の処理を行う度に、取り出した物品の収納部へ次の物品を収納するという場合と比較して、非常に作業能率が向上する。
【００２９】
なお、上記では、全ての収納部１０に物品Ｓが収納された後、組合せ演算部７に組合せ演算を行わせて排出組合せを求めるようにしたが、全ての収納部１０に物品Ｓが収納されなくても組合せ演算を行って排出組合せを求めるようにしてもよい。例えば、物品Ｓが収納された収納部１０の個数が、予め定めた組合せ開始個数（収納部１０の全個数未満の複数）になったときに、組合せ演算を行わせて排出組合せを求めるようにしてもよい。この場合、例えば組合せ条件設定部８によって組合せ開始個数を設定し、その組合せ開始個数が制御部９に与えられるように構成しておき、制御部９は、最初に収納されている収納部１０の個数と物品重量測定部５から物品Ｓの取り出し情報５ａが与えられた回数との合計が組合せ開始個数と一致したときに組合せ演算開始指令を組合せ演算部７へ出力するようにしてもよいし、あるいは、収納状態を示す情報が出力されている物品検出部１１の個数が組合せ開始個数と一致したときに組合せ演算開始指令を組合せ演算部７へ出力するようにしてもよい。あるいは、作業者の操作によって制御部９から組合せ演算開始指令を組合せ演算部７へ出力させるようにしてもよい。例えば、テーブル１の近傍等に、押したときに制御部９へ組合せ開始信号を出力する押しボタンスイッチ等からなる組合せ開始ボタンを設け、作業者が、組合せ開始ボタンを押したときに出力される組合せ開始信号を受けて、制御部９が、組合せ演算開始指令を組合せ演算部７へ出力するようにしてもよい。
【００３０】
また、表示器３に各排出組合せの収納位置を順番に表示することにより、作業者に報知するようにしたが、他の方法でもよい。例えば、各収納部１０にランプあるいはＬＥＤ等からなる発光部を配設して、排出組合せに該当する収納部１０の発光部を順次点灯させるようにしてもよい。また、表示器３に、はじめに全ての排出組合せの各々の収納位置を表示し、各排出組合せに該当する収納部１０から物品Ｓが取り出されたことを認識したものの表示を消去するようにしてもよい。
【００３１】
また、物品が収納されていない収納部１０に対し、収納位置の番号が小さい順番に、物品Ｓを収納するようにしたが、このように収納する順番を決めないようにしてもよい。この場合、制御部９は、物品検出部１１からの情報が未収納状態を示す情報から収納状態を示す情報に変更されたときに、その物品検出部１１を有する収納部１０に物品Ｓが収納されたことを認識し、その収納位置の情報を収納位置・重量管理部６へ出力することで、収納位置・重量管理部６は、物品Ｓの収納位置とその重量とを対応付けることが可能である。
【００３２】
また、各収納部１０に物品検出部１１を設けないようにして構成することもできる。この場合、例えば、テーブル１の近傍等に、押したときに制御部９へ取出し信号を出力する押しボタンスイッチ等からなる取出しボタンを設け、図３のように、排出組合せに選択されている収納位置が順番に表示される場合に、表示器３に例えば（０１，１２）の収納位置が示されており、作業者が、その収納位置の収納部１０の物品Ｓを取り出し、取出しボタンを押す。この取出しボタンが押されたことにより出力される取出し信号を受け、制御部９は、収納位置が（０１，１２）の収納部１０から物品Ｓが取り出されたことを認識するようにすればよい。
【００３３】
なお、本実施の形態では、重量計２の上に複数の物品を載置してその全体重量を計量し、物品重量測定部５で、重量計２からの計量データ２ａの変化量に基づいて重量計２上に載置されている物品の取り出しを検出して取り出された物品の重量を求めるように構成したが、この構成に限られることなく、各収納部１０に収納される物品の重量が求められる構成であれば、他の構成でもよい。例えば、重量計２で物品を１個ずつ計量して取出し、収納部１０へ収納する構成でもよい。この場合、１個の物品が載置されたときに重量計２から出力される計量データ２ａが１個の物品の重量であるとすれば、物品重量測定部５では、計量データ２ａの値（０グラムから増加した値）が予め設定した判定値を越えた場合に、物品が載置されて計量状態であるものと判断し、そのときの計量データ２ａをそのまま物品Ｓの重量データ５ｂとして収納位置・重量管理部６へ出力するとともに物品取出し情報５ａを制御部９へ出力するようにすればよい。
【産業上の利用可能性】
【００３４】
本発明は、野菜、果実、魚等を所定重量にして袋詰め等を行う際に用いる組合せ計量装置等として有用である。
【図面の簡単な説明】
【００３５】
【図１】本発明の実施の形態の組合せ計量装置の構成を示すブロック図である。
【図２】本発明の実施の形態の組合せ計量装置のテーブルの収納位置の番号を示す図である。
【図３】本発明の実施の形態の組合せ計量装置の表示器の表示例を示す図である。
【符号の説明】
【００３６】
１  テーブル
２  重量計
３  表示器
４  制御装置
５  物品重量測定部
６  収納位置・重量管理部
７  組合せ演算部
８  組合せ条件設定部
９  制御部
１０  収納部
１１  物品検出部
【図１】
0004818660.tif 000002
【図２】
0004818660.tif 000003
【図３】
0004818660.tif 000004